(57)【要約】      （修正有）【課題】持ち運べる大きさでありながら、ラドンガスの発生量を高めてホルミシス効果を高めることができるラドン吸入器を提供する。【解決手段】ラドン吸入器は、空気を送り出すポンプ２と、ポンプ２と接続管７１で接続され、ラジウム鉱石を収納する第一収納部３と、第一収納部３と接続管７２で接続され、ラジウム鉱石を収納する第二収納部４と、第二収納部４に接続された吸入管５と、を備えたことを特徴とし、高さ２００ｍｍ〜４００ｍｍ、幅１００ｍｍ〜２００ｍｍ、奥行き２００ｍｍ〜３００ｍｍであることが好ましい。【選択図】図２
0003206605.tif 000002
【実用新案登録請求の範囲】
【請求項１】
空気を送り出すポンプと、前記ポンプと接続管で接続され、ラジウム鉱石を収納する第一収納部と、前記第一収納部と接続管で接続され、ラジウム鉱石を収納する第二収納部と、前記第二収納部に接続された吸入管と、を備えたラドン吸入器。
【請求項２】
前記第一収納部と前記第二収納部とを、本体に左右に並列させて配した請求項１に記載のラドン吸入器。
【請求項３】
前記第一収納部及び前記第二収納部は、それぞれ直方体箱状である請求項１又は２に記載のラドン吸入器。
【請求項４】
前記第一収納部及び前記第二収納部は、本体に着脱可能である請求項１〜３のいずれかに記載のラドン吸入器。
【請求項５】
高さ２００ｍｍ〜４００ｍｍ、幅１００ｍｍ〜２００ｍｍ、奥行き２００ｍｍ〜３００ｍｍである請求項１〜４のいずれかに記載のラドン吸入器。
【考案の詳細な説明】
【技術分野】
【０００１】
本考案は、ラドンガスやマイナスイオンなどを発生することができるラドン吸入器に関する。
【背景技術】
【０００２】
ラドンガスは、ラジウムのアルファ崩壊により発生するものであり、健康の維持や増進、疲労回復、疾病の治癒などの効能があることが知られている。これら効能は、ラドンなどが放つ放射線が健康に寄与するためといわれ、ホルミシス効果によるものといわれている。ホルミシス効果とは、大量の放射線を浴びれば有害であるが、低線量の放射線は有益であり、免疫機能などを高めることができるという考えである（１９８２年米国保健物理学会誌）。
【０００３】
このようにラドンガスを発生させて健康の増進を図ることができる装置としては、例えば、ラジウム鉱石片支持網を多層に敷き並べ、送風機の駆動により通風して各層網上のラジウム鉱石片からラドンガスを発生させて槽上部の取出口から取出すようにしたラドンガス発生装置があり、ラドンガスを浴室や休養室などの空間に送り出し、ラドン浴ができるようにしたものである（下記特許文献１参照）。
【０００４】
他には、高温・蒸気発生器に接続管を接続し、該接続管の先端に外気を遮断できるマスク体を固着すると共に、前記マスク体内にラドン鉱石微粒粉末体を配設したラドン吸入器があり、前記マスク体を鼻や口にあててラドンガスを吸引できるようにしたものである（下記特許文献２参照）。
【先行技術文献】
【特許文献】
【０００５】
【特許文献１】実用新案登録第３１５１５８２号公報
【特許文献２】特開２００９−１１７６５号公報
【考案の概要】
【考案が解決しようとする課題】
【０００６】
特許文献２などに示されたラドン吸入器は、持ち運びできる大きさで、室内などでもラドンガスを浴びたり吸入できたりして便利なものである。しかし、ラドンガスの発生量は多いといえるものではなく、ホルミシス効果を高めるためにはラドンガスの発生量を高めたい。
しかし、ラドンガスの発生量を高めるにはラジウム鉱石の量を多くすることが考えられるが、多くすれば吸入器自体の大きさも大きくなり、持ち運びには不便になる。
【０００７】
そこで、本考案の目的は、持ち運べる大きさでありながら、ラドンガスの発生量を高めてホルミシス効果を高めることができるラドン吸入器を提供することにある。
【課題を解決するための手段】
【０００８】
本考案の一形態のラドン吸入器は、空気を送り出すポンプと、前記ポンプと接続管で接続され、ラジウム鉱石を収納する第一収納部と、前記第一収納部と接続管で接続され、ラジウム鉱石を収納する第二収納部と、前記第二収納部に接続された吸入管と、を備えたことを特徴とする。
このようにすることにより、ラジウム鉱石を収納した第一収納部と第二収納部とを連続させて空気を流すことができ、ラドンガスの発生量を高め、ホルミシス効果を高めることができる。
【０００９】
上記形態のラドン吸入器は、前記第一収納部と前記第二収納部とを、本体に左右に並列させて配することができる。このようにすることにより、ラドン吸入器の大きさをコンパクトにすることができる。
【００１０】
上記形態のラドン吸入器は、前記第一収納部及び前記第二収納部を、それぞれ直方体箱状に形成することができ、また、本体に着脱可能にすることができる。このようにすることにより、ラジウム鉱石の交換をしやすくなる。
【００１１】
上記形態のラドン吸入器は、高さ２００ｍｍ〜４００ｍｍ、幅１００ｍｍ〜２００ｍｍ、奥行き２００ｍｍ〜３００ｍｍにすることができる。このようにすることにより、置き場所の困らず、持ち運びしやすいサイズになり、どの部屋でもラドンガスを吸入したり、ラドン浴をしたりすることができる。
【図面の簡単な説明】
【００１２】
【図１】本考案の一実施形態のラドン吸入器の斜視図である。
【図２】図１のラドン吸入器の内部構造を示した図である。
【図３】図１のラドン吸入器に用いる第一収納部又は第二収納部を示した斜視図である。
【図４】図１のラドン吸入器の空気の流れを説明するための図である。
【考案を実施するための形態】
【００１３】
以下、本考案のラドン吸入器の一実施形態を説明する。
【００１４】
本考案の一実施形態のラドン吸入器１は、図１又は図２に示すように、ポンプ２と、第一収納部３と、第二収納部４と、吸入管５と、を備えている。
【００１５】
ラドン吸入器１は、ラドンガスやマイナスイオンなどを発生することができるものであり、マスクなどを接続して吸入管５から流出するラドンガスなどを吸引したり、水などに吸入管５から流出するラドンガスなどを流し込み、ラドン水を作成したりすることができる。
ラドン吸入器１は、特に限定するものではないが、高さ２００ｍｍ〜４００ｍｍ、特に３００ｍｍ〜３５０ｍｍ、幅１００ｍｍ〜２００ｍｍ、特に１２０ｍｍ〜１５０ｍｍ、奥行き２００ｍｍ〜３００ｍｍ、特に２３０ｍｍ〜２５０ｍｍに形成することが好ましい。この大きさにすることにより、置き場所に困らず、持ち運びし易く、どのような場所でもラドン吸入器１を使用できる。
【００１６】
ラドン吸入器１は、縦長直方体箱状の本体６に、ポンプ２、第一収納部３、第二収納部４、吸入管５等を内部に納めて形成してある。本実施形態では、第一収納部３及び第二収納部４は、本体６の底面に着脱可能に取り付けてある。着脱可能に取り付ける方法は、特に限定するものではないが、底面に第一収納部３又は第二収納部４を挟持する爪部（図示せず）などを形成して、着脱可能に取り付けることができる。
本体６は、本実施形態では長方体状に形成してあるが、これに限定するものではなく、立方体状や円柱体状などに形成することもできる。また、本体６は、例えば、木材、合成樹脂、金属などから形成することができる。
【００１７】
ポンプ２は、空気を送り出すことができるものであり、吸入部２１から空気を吸い込み、吐出部２２から空気を吐き出すことができる。ポンプ２は、本実施形態では、本体６の天面の裏面側に固定してある。
ポンプ２は、本体６の正面側に設けた、電源８１、スタートボタン８２、流量調整部８３、タイマー８４などと配線で電気接続され、コントロールできるようにしてある。
吐出部２２には接続管７１の一端部を連結してあり、接続管７１の他端部を第一収納部３に接続してある。
【００１８】
第一収納部３は、横長直方体箱状であり、図３に示めすように、左右に分割でき、内部にラジウム鉱石や北投石などラドンガスを発生する鉱物を充填することができる。
第一収納部３は、左右の端面の一方には吸入部３１を設け、接続管７１の他端部を接続してあり、他方には吐出口３２を設け、接続管７２の一端部を接続してある。
【００１９】
第二収納部４は、第一収納部３と同じ形状としてあり、横長直方体箱状であり、図３に示めすように、左右に分割でき、内部にラジウム鉱石や北投石などラドンガスを発生する鉱物を充填することができる。
第二収納部４は、左右の端面の一方には吸入部４１を設け、接続管７２の他端部を接続し、他方には吐出口４２を設け、吸入管５の一端部を接続してある。
【００２０】
本実施形態では、第一収納部３及び第二収納部４を、本体６の底面に、左右に並行状に配してある。このようにすることにより、ラドン吸入器１の大きさをコンパクトにすることができ、置き場所に困らず、持ち運びしやすくなる。
【００２１】
吸入管５の他端部は、本体６の正面下方に設けた、噴出部８５に接続してあり、ポンプ２から送り出された空気が、第一収納部３、第二収納部４及び吸入管５を通り、噴出部８５から噴出されるようにしてある。
なお、接続管７１，７２及び吸入管５は、内部を空気が流れる管状のものであればよく、樹脂、金属などで形成することができる。
【００２２】
ラドン吸引器１は、例えば、以下のように使用することができる。
まず、第一収納部３及び第二収納部４にラジウム鉱石などを充填し、本体６の底面に取付ける。接続管７１でポンプ２と第一収納部３とを、接続管７２で第一収納部３と第二収納部４と、吸入管５で第二収納部４と噴出口８５と、を接続する。
電源８１を入れ、スタートボタン８２を押すと、ポンプ２が作動し、空気を送り出す。
図４の概略図に示すように、ポンプ２から送り出された空気は接続管７１を通り、第一収納部３に送り込まれる。第一収納部３にはラジウム鉱石が充填されているため、空気中にラドンガスが混入される。ラドンガスが混入された空気は、接続管７２を通り、第二収納部４に送り込まれる。第二収納部４にはラジウム鉱石が充填されているため、さらに空気中にラドンガスが混入され、ラドンガスの濃度が高められる。この空気は吸入管５を通り、噴出口８５から噴出される。
【００２３】
噴出口８５にマスクなどを接続し、鼻や口から吸入すれば、ラドンガスを体内に取り込むことができる。また、噴出口８５から噴出するラドンガスを含む空気を水などに噴出すればラドン水を作成することができる。
【００２４】
このように、ラドン吸入器１は、ラジウム鉱石を収納する箇所を２つに分けたことにより、ラドンガスの濃度を高め、ホルミシス効果を高めることができる。
また、第一収納部３と第二収納部４とを左右に配列させて配すれば、ラドン吸入器１をコンパクトに設計でき、置き場所に困らず、持ち運びに便利である。
本体６の天面の上側に、把手８６を設けておけば、持ち運びが簡便になる。
【００２５】
上記実施形態の構成態様は、本考案を限定するものとして挙げたものではなく、技術目的を共通にするかぎり変更は可能であり、本考案はそのような変更を含むものである。
【符号の説明】
【００２６】
１…ラドン吸入器
２…ポンプ
２１…吸入部
２２…吐出部
３…第一収納部
３１…吸入部
３２…吐出部
４…第二収納部
４１…吸入部
４２…吐出部
５…吸入管
６…本体
７１，７２…接続管
８１…電源
８２…スタートボタン
８３…流量調整部
８４…タイマー
８５…噴出口
８６…把手
【図１】
0003206605.tif 000003
【図２】
0003206605.tif 000004
【図３】
0003206605.tif 000005
【図４】
0003206605.tif 000006